(57)【要約】【課題】眼鏡フレーム２００のデザイン化を容易に行うことができる眼鏡１００又は眼鏡フレーム２００を提供すること。【解決手段】右レンズ２１０及び左レンズ２２０を保持することが可能なフロントフレーム部材３１０と、フロントフレーム部材３１０に接続される右テンプル部材３２０及び左テンプル部材３３０と、を含む眼鏡フレーム２００であって、フロントフレーム部材３１０に取り付けるフロントカバー部材５１０と、フロントフレーム部材３１０とフロントカバー部材５１０との間に配置されるフロント模様部材６１０と、を含む眼鏡フレームを提供する。【選択図】図１
2018169633.tif 000002
【特許請求の範囲】
【請求項１】
右レンズ及び左レンズを保持することが可能なフロントフレーム部材と、
フロントフレーム部材に接続される右テンプル部材及び左テンプル部材と、を含む眼鏡フレームであって、
前記フロントフレーム部材に取り付けるフロントカバー部材と、
前記フロントフレーム部材と前記フロントカバー部材との間に配置されるフロント模様部材と、を含む眼鏡フレーム。
【請求項２】
右レンズ及び左レンズを保持することが可能なフロントフレーム部材と、
フロントフレーム部材に接続される右テンプル部材及び左テンプル部材と、を含む眼鏡フレームであって、
前記右テンプル部材及び前記左テンプル部材の少なくともいずれか一方に取り付けるテンプルカバー部材と、
前記右テンプル部材及び前記左テンプル部材の少なくともいずれか一方と前記テンプルカバー部材との間に配置されるテンプル模様部材と、を含む眼鏡フレーム。
【請求項３】
前記右テンプル部材及び前記左テンプル部材の少なくともいずれか一方に取り付けるテンプルカバー部材と、
前記右テンプル部材及び前記左テンプル部材の少なくともいずれか一方と前記テンプルカバー部材との間に配置されるテンプル模様部材と、を含む請求項１記載の眼鏡フレーム。
【請求項４】
前記フロントカバー部材は、前記フロントフレーム部材に対して嵌め込むことにより、前記フロント模様部材を切り抜くことが可能である請求項１又は３記載の眼鏡フレーム。
【請求項５】
前記テンプルカバー部材は、前記右テンプル部材又は前記左テンプル部材に対して嵌め込むことにより、前記テンプル模様部材を切り抜くことが可能である請求項２又は３記載の眼鏡フレーム。
【請求項６】
請求項１乃至５記載の眼鏡フレームを備える眼鏡。
【発明の詳細な説明】
【技術分野】
【０００１】
本発明は、眼鏡及び眼鏡フレームに関する。
【背景技術】
【０００２】
従来、眼鏡フレームのデザインは、様々なデザインが施されたものがあるものの、着用者がそのデザインに飽きてしまった場合、再度、別のデザインの眼鏡を購入しなければならなかった。
【０００３】
また、着用者は、眼鏡フレームの形状を気に入っている場合であっても、眼鏡フレームのデザインに飽きてしまった場合、同じ形状の眼鏡を購入する必要があった。
【０００４】
特許文献１に係る発明は、眼鏡フレームを皮革で被覆するというものである。具体的には、眼鏡フレームを表裏両側から皮革で挟み込み皮革同士を接着する又は縫い合わせるというものである。
【先行技術文献】
【特許文献】
【０００５】
【特許文献１】特開２０１６−１８４０１４号公報
【発明の概要】
【発明が解決しようとする課題】
【０００６】
特許文献１に係る発明は、眼鏡フレームを皮革で被覆し、接着又は縫い合わせるというものであるため、一端皮革を眼鏡フレームに取り付けてしまうと外すのが困難である。
【０００７】
また、皮革の色や種類を変更することはできてもデザインを変更するものではない。
【０００８】
本発明の目的は、眼鏡フレームのデザイン化を容易に行うことができる眼鏡又は眼鏡フレームを提供することである。
【０００９】
本発明の他の目的は、眼鏡フレームのデザインを容易に変更することができる眼鏡又は眼鏡フレームを提供することである。
【課題を解決するための手段】
【００１０】
本発明の第１の局面に係る眼鏡フレームは、右レンズ及び左レンズを保持することが可能なフロントフレーム部材と、
フロントフレーム部材に接続される右テンプル部材及び左テンプル部材と、を含む眼鏡フレームであって、
前記フロントフレーム部材に取り付けるフロントカバー部材と、
前記フロントフレーム部材と前記フロントカバー部材との間に配置されるフロント模様部材と、を含む眼鏡フレームである。
【００１１】
模様部材であるフロント模様部材を取り換えることにより、着用者の好きな柄や模様の眼鏡フレームにすることができる。
【００１２】
つまり、着用者は、新しい眼鏡を購入しなくても眼鏡フレームのデザインを容易に変更することができ、眼鏡フレームのデザイン化を容易に行うことができる。
【００１３】
本発明の第２の局面に係る眼鏡フレームは、右レンズ及び左レンズを保持することが可能なフロントフレーム部材と、
フロントフレーム部材に接続される右テンプル部材及び左テンプル部材と、を含む眼鏡フレームであって、
前記右テンプル部材及び前記左テンプル部材の少なくともいずれか一方に取り付けるテンプルカバー部材と、
前記右テンプル部材及び前記左テンプル部材の少なくともいずれか一方と前記テンプルカバー部材との間に配置されるテンプル模様部材と、を含む眼鏡フレームである。
【００１４】
模様部材であるテンプル模様部材を取り換えることにより、着用者の好きな柄や模様の眼鏡フレームにすることができる。
【００１５】
つまり、着用者は、新しい眼鏡を購入しなくても眼鏡フレームのデザインを容易に変更することができ、眼鏡フレームのデザイン化を容易に行うことができる。
【００１６】
本発明の第３の局面に係る眼鏡フレームは、第１の局面に係る眼鏡フレームであって、
前記右テンプル部材及び前記左テンプル部材の少なくともいずれか一方に取り付けるテンプルカバー部材と、
前記右テンプル部材及び前記左テンプル部材の少なくともいずれか一方と前記テンプルカバー部材との間に配置されるテンプル模様部材と、を含む眼鏡フレームである。
【００１７】
模様部材であるフロント模様部材及びテンプル模様部材を取り換えることにより、着用者の好きな柄や模様の眼鏡フレームにすることができる。
【００１８】
つまり、着用者は、新しい眼鏡を購入しなくても眼鏡フレームのデザインを容易に変更することができ、眼鏡フレームのデザイン化を容易に行うことができる。
【００１９】
本発明の第４の局面に係る眼鏡フレームは、第１の局面又は第３の局面に係る眼鏡フレームであって、
前記フロントカバー部材は、前記フロントフレーム部材に対して嵌め込むことにより、前記フロント模様部材を切り抜くことが可能である眼鏡フレームである。
【００２０】
フロントカバー部材のフロントフレーム部材側の先端が、紙等の模様部材をカットすることが可能なカット部となっている。そのため、フロントカバー部材がフロントフレーム部材に対して嵌め込まれることにより、フロント模様部材を切り抜くことが可能である。
【００２１】
このようなものであれば、フロントフレーム部材の所定の形状に模様部材を事前にカットしなくてもよい。
【００２２】
本発明の第５の局面に係る眼鏡フレームは、第２の局面又は第３の局面に係る眼鏡フレームであって、
前記テンプルカバー部材は、前記右テンプル部材又は前記左テンプル部材に対して嵌め込むことにより、前記テンプル模様部材を切り抜くことが可能である眼鏡フレームである。
【００２３】
テンプルカバー部材のテンプル部材側の先端が、紙等の模様部材をカットすることが可能なカット部となっている。そのため、テンプルカバー部材がテンプル部材に対して嵌め込まれることにより、テンプル模様部材を切り抜くことが可能である。
【００２４】
このようなものであれば、テンプル部材の所定の形状に模様部材を事前にカットしなくてもよい。
【００２５】
本発明の第６の局面に係る眼鏡は、第１の局面乃至第５の局面に係る眼鏡フレームを備える眼鏡である。
【００２６】
このような眼鏡であれば、着用者は、新しい眼鏡を購入しなくても眼鏡フレームのデザインを容易に変更することができ、眼鏡フレームのデザイン化を容易に行うことができる。
【図面の簡単な説明】
【００２７】
【図１】本発明に係る一実施形態における眼鏡の斜視図。
【図２】本発明に係る一実施形態における眼鏡を折り畳んだときの背面図。
【図３】同実施形態における眼鏡の部分側面図を用いたテンプルカバー部材を外した状態を表した図。
【図４】同実施形態における眼鏡のＡ−Ａ部分断面図を用いた模様部材が挟まれる状態を表した図。
【図５】同実施形態における眼鏡の部分背面図。
【図６】同実施形態における眼鏡のフロントカバー部材をフロントフレーム部材から外した状態を表した図。
【図７】同実施形態における眼鏡のＢ−Ｂ部分断面図を用いた模様部材が挟まれる状態を表した図。
【発明を実施するための形態】
【００２８】
以下、本発明の一例を、図面を参照しながら説明する。眼鏡１００の各部分の座標を用いた説明では、図１の状態の眼鏡１００を用いて説明する。
【００２９】
（眼鏡１００）
図１及び図２に示すように、本実施形態に係る眼鏡１００は、着用者の目の前方に配置されるレンズ２００と、
レンズ２００をフロントフレーム部材３１０で保持し、テンプル部材３２０、３３０によって着用者の耳に掛けることができる眼鏡フレーム３００と、
眼鏡フレーム３００のフロントフレーム部材３１０とテンプル部材３２０、３３０とを可動させるための蝶番４００と、
眼鏡フレーム３００に取り付けるカバー部材５００と、を含む。
【００３０】
レンズ２００は、右レンズ２１０と左レンズ２２０とを含む。レンズ２００は、着用者の視力を矯正するため、着用者の視力に合ったレンズ２００が用いられるが、度の入っていないレンズ２００であってもよい。
【００３１】
また、レンズ２００は、パソコン等の画面を見るのに適したレンズ２００、反射を防止するためのレンズ２００であってもよい。
【００３２】
レンズ２００の形状は、眼鏡フレーム３００が保持できる形状であればよい。また、レンズ２００の材質は、ガラスであってもプラスチックであってもよい。
【００３３】
右レンズ２１０は、着用者の右目側に配置されており、左レンズ２２０よりｘ軸負方向側に配置される。
【００３４】
左レンズ２２０は、着用者の左目側に配置されており、右レンズ２１０よりｘ軸正方向側に配置される。
【００３５】
眼鏡フレーム３００は、レンズ２００が保持されているフロントフレーム部材３１０と、
着用者の右耳に掛けることができる右テンプル部材３２０と、
着用者の左耳に掛けることができる左テンプル部材３３０と、
着用者の鼻部分に配置される右ノーズバッド部３４０及び左ノーズバッド部３５０と、を含む。
【００３６】
フロントフレーム部材３１０は、右レンズ２１０を保持する右リム部３１１と、
左レンズ２２０を保持する左リム部３１２と、
右リム部３１１と左リム部３１２との間に配置されるブリッジ部３１３と、
右リム部３１１のｘ軸負方向側に配置される右ヨロイ部３１４と、
左リム部３１２のｘ軸正方向側に配置される左ヨロイ部３１５と、を含む。
【００３７】
右リム部３１１は、右レンズ２１０の周縁を保持する。左リム部３１２は、左レンズ２２０の周縁を保持する。
【００３８】
ブリッジ部３１３は、右リム部３１１と左リム部３１２との間に配置され、右リム部３１１と左リム部３１２とを接続している。
【００３９】
右ヨロイ部３１４は、右リム部３１１のｘ軸負方向側に配置され、右テンプル部材３２０と蝶番４００（右蝶番４１０）によって接続されている。
【００４０】
左ヨロイ部３１５は、左リム部３１２のｘ軸正方向側に配置され、左テンプル部材３３０と蝶番４００（左蝶番４２０）によって接続されている。
【００４１】
テンプル部材である右テンプル部材３２０は、モダン部である右モダン部３２１を含む。
【００４２】
右テンプル部材３２０は、フロントフレーム部材３１０の右ヨロイ部３１４と右蝶番４１０によって接続されている。
【００４３】
右テンプル部材３２０は、着用者の右耳に掛けられる部分である。具体的には、右テンプル部材３２０の右モダン部３２１が着用者の右耳に掛けられる。
【００４４】
本実施形態では、図１に示すように、右テンプル部材３２０をフロントフレーム部材３１０に対して広げた状態で、モダン部である右モダン部３２１は、ｙ軸正方向側に進むにつれてｚ軸負方向側に湾曲している。
【００４５】
同様に、左テンプル部材３３０は、フロントフレーム部材３１０の左ヨロイ部３１５と左蝶番４２０によって接続されている。
【００４６】
左テンプル部材３３０は、着用者の左耳に掛けられる部分である。具体的には、左テンプル部材３３０の左モダン部３３１が着用者の左耳に掛けられている。
【００４７】
本実施形態では、図１に示すように、左テンプル部材３３０をフロントフレーム部材３１０に対して広げた状態で、モダン部である左モダン部３３１は、ｙ軸正方向側に進むにつれてｚ軸負方向側に湾曲している。
【００４８】
なお、右テンプル部材３２０及び左テンプル部材３３０をフロントフレーム部材３１０に対して広げた状態（着用者が眼鏡１００を掛けれる状態）で、モダン部である右モダン部３２１及び左モダン部３３１は、ｚ軸負方向側に湾曲していなくてもよい。また、モダン部は、ｘ軸方向に湾曲するものであってもよい。
【００４９】
右ノーズバッド部３４０は着用者の鼻の右側に配置され、左ノーズバッド部３５０は着用者の鼻の左側に配置される。
【００５０】
パッド部である右ノーズバッド部３４０及び左ノーズバッド部３５０が着用者の鼻の上方にあたり、眼鏡フレーム２００のフロントフレーム部材３１０を支える。
【００５１】
なお、本実施形態では、パッド部は直接フロントフレーム部材３１０に接続されているが、パッドアーム（クリングス）によってパッド部がフロントフレーム部材３１０に接続されていてもよい。また、右ノーズパッド部３４０及び左ノーズパッド部３５０を備えない構成であってもよい。
【００５２】
蝶番４００は、フロントフレーム部材３１０に対してテンプル部材３２０、３３０を、蝶番４００を中心にｘ軸方向に向けて畳むようにしたり、ｙ軸方向に向けて開くようにする部分であり、右蝶番４１０と左蝶番４２０とを含む。
【００５３】
右蝶番４１０は、フロントフレーム部材３１０の右ヨロイ部３１４と右テンプル部材３２０とを揺動可能に保持する。右テンプル部材３２０は、右蝶番４１０を中心に、フロントフレーム部材３１０に対して畳んだり開いたりすることができる。
【００５４】
同様に、左蝶番４２０は、フロントフレーム部材３１０の左ヨロイ部３１５と左テンプル部材３３０とを揺動可能に保持する。左テンプル部材３３０は、左蝶番４２０を中心に、フロントフレーム部材３１０に対して畳んだり開いたりすることができる。なお、蝶番４００の具体的な構成の説明については省略する。
【００５５】
本実施形態に係る眼鏡フレーム３００には、眼鏡フレーム３００の少なくとも一部を覆うカバー部材５００と、
カバー部材５００と眼鏡フレーム３００との間に配置される模様部材６００と、を含む。
【００５６】
（カバー部材５００）
図１に示すように、第１実施形態に係るカバー部材５００は、フロントフレーム部材３１０の表側（ｙ軸負方向側）に接続するフロントカバー部材５１０と、
右テンプル部材３２０の表側（ｘ軸負方向側）に接続するテンプルカバー部材である右テンプルカバー部材５２０と、
左テンプル部材３３０の表側（ｘ軸正方向側）に接続するテンプルカバー部材である左テンプルカバー部材５３０と、を含む。
【００５７】
カバー部材５００は透明性を有する部材であり、眼鏡１００は、眼鏡フレーム２００とカバー部材５００との間に模様部材６００を挟む又は嵌め込むことにより構成される。
【００５８】
なお、図２では、左テンプル部材３３０と左テンプルカバー部材５３０との間に模様部材６００が介在していない状態を表している。
【００５９】
＜第１実施形態＞
図３乃至図５に示すように、第１実施形態は、眼鏡フレーム２００にカバー部材５００を取り付けるための溝部３３２が設けられている構造である。
【００６０】
具体的には、左テンプル部材３３０のｚ軸方向両端に、左テンプルカバー部材５３０を取り付けるための溝部３３２が設けられている。
【００６１】
本実施形態では、溝部３３２は左モダン部３３１のところには設けられていないが、設けられていてもよい。
【００６２】
左テンプルカバー部材５３０は、透明性を有する部材であり、左テンプルカバー部材５３０と左テンプル部材３３０との間に模様部材６００であるテンプル模様部材６２０を挟む又は嵌め込むことができる。
【００６３】
具体的には、左テンプルカバー部材５３０は、左テンプルテンプル部材３３０のｘ軸正方向側に取り付けることができ、その間にはテンプル模様部材６２０が配置されている。
【００６４】
本実施形態では、テンプル模様部材６２０は、模様が施された紙である。なお、紙以外にも布、プラスチック、木等であってもよい。
【００６５】
本実施形態では、左テンプルカバー部材５３０はｘｚ平面視で断面が略コの字状を形成している。そして、左テンプルカバー部材５３０のｘ軸負方向側は、左テンプル部材３３０を挟むようになっており、その先端はカット部であり、テンプル模様部材６２０をカットできるように鋭角となっている。
【００６６】
そのため、テンプル模様部材６２０である紙を左テンプル部材３３０のｘ軸正方向側の側面の形状にカットしなくても、左テンプルカバー部材５３０と左テンプル部材３３０との間にテンプル模様部材６２０である紙を配置し、左テンプルカバー部材５３０を左テンプル部材３３０に押し付けることにより、左テンプルカバー部材５３０のｘ軸負方向側の先端によりテンプル模様部材６２０である紙をカットすることができる。
【００６７】
なお、テンプル模様部材６２０である紙は、左テンプルカバー部材５３０と左テンプル部材３３０との間に配置する前に、既にカットされていてもよい。
【００６８】
例えば、テンプル模様部材６２０にミシン目が設けられており、そのミシン目に沿ってカットすることにより、左テンプル部材３３０のｘ軸正方向側の形状になるようなものであってもよい。
【００６９】
なお、右テンプルカバー部材５２０及び右テンプル部材３２０の場合も、左テンプルカバー部材５３０及び左テンプル部材３３０の場合と同様である。
【００７０】
つまり、左テンプルカバー部材５３０及び左テンプル部材３３０の場合と同様に、右テンプルカバー部材５２０と右テンプル部材３２０との間に模様部材６００であるテンプル模様部材６２０が配置される。
【００７１】
具体的には、右テンプル部材３２０のｚ軸方向両端に、右テンプルカバー部材５２０を取り付けるための溝部（図示しない）が設けられている。
【００７２】
右テンプルカバー部材５２０は、右テンプル部材３２０のｘ軸負方向側に取り付けることができ、右テンプルカバー部材５２０と右テンプル部材３２０との間には、テンプル模様部材６２０が配置されている。右テンプルカバー部材５２０の右テンプル部材３２０側（ｘ軸正方向側）の先端はカット部となっている。
【００７３】
テンプル模様部材６２０の模様は、左テンプル部材３３０側の模様と同じでもよく、また異なる模様であってもよい。
【００７４】
また、テンプル模様部材６２０は、右テンプル部材３２０側及び左テンプル部材３３０側のいずれか一方に取り付けられるものであってもよい。
【００７５】
フロントフレーム部材３１０及びフロントカバー部材５１０の場合も、左テンプルカバー部材５３０及び左テンプル部材３３０の場合や、右テンプルカバー部材５２０及び右テンプル部材３２０の場合と同様である。
【００７６】
つまり、左テンプルカバー部材５３０及び左テンプル部材３３０の場合と同様に、フロントフレーム部材３１０とフロントカバー部材５１０との間に模様部材６００であるフロント模様部材６１０が配置される。
【００７７】
具体的には、フロントフレーム部材３１０のｚ軸方向両端に、フロントカバー部材５１０を取り付けるための溝部（図示しない）が設けられている。
【００７８】
図６に示すように、フロントカバー部材５１０は、フロントフレーム部材３１０のｙ軸負方向側に取り付けることができ、フロントカバー部材５１０とフロントフレーム部材３１０との間には、フロント模様部材６１０が配置されている。フロントカバー部材５１０のフロントフレーム部材３１０側（ｙ軸正方向側）の先端はカット部となっている。
【００７９】
模様部材６００は、模様が描かれた紙以外にも例えば、布、プラスチック、木、皮革等カバー部材５００と眼鏡フレーム２００の間に入るものであればどのようなものであってもよい。
【００８０】
例えば、着用者は模様部材６００を外国の新聞紙とすることもできる。この場合、着用者は、外国の新聞の柄の眼鏡フレーム２００を着用することができる。
【００８１】
また、模様部材６００は、所定のＷｅｂサイトからダウンロードできるようにしてもよい。
【００８２】
また、模様部材６００には、模様が描かれていなくてもよく、単色又は透明のものであってもよい。
【００８３】
＜第２実施形態＞
図７に示すように、第２実施形態は、眼鏡フレーム２００にカバー部材５００を引っ掛けて留める構成である。本実施形態において、第１実施形態と同様の構成については、省略又は簡略して説明する。
【００８４】
図７は、フロントフレーム部材３１０のｙｚ平面の部分断面図である。第２実施形態のフロントフレーム部材３１０には、フロントカバー部材５１０を係合させる被係合部３１６を有する。
【００８５】
第２実施形態のフロントカバー部材５１０には、フロントフレーム部材３１０に引っ掛ける第１係合部５１１と、
ｙｚ断面視が鉤状の形状をした第２係合部５１２と、を含む。
【００８６】
具体的には、第１係合部５１１は、フロントカバー部材５１０の上方（ｚ軸正方向側）に配置され、第２係合部５１２がフロントカバー部材５１０の下方（ｚ軸負方向側）に配置される。
【００８７】
第１係合部５１１は、ｙｚ断面視で略コの字状になっており、第１係合部５１１の先端をフロントフレーム部材３１０の裏側（ｙ軸正方向側）の面に引掛ける構造となっている。
【００８８】
第２係合部５１２は、ｙｚ断面視で鉤状になっており、フロントフレーム部材３１０の被係合部３１６に係合する。
【００８９】
第１係合部５１１及び第２係合部５１２は、フロントカバー部材５１０のｘ軸方向に対して全体に設けられてもよく、また、ｘ軸方向に対して部分的に形成されていてもよい。
【００９０】
具体的なフロントカバー部材５１０をフロントフレーム部材３１０に取り付ける方法は、図７に示すように、まず、フロントカバー部材５１０の内側（ｙ軸正方向側）にフロント模様部材６１０を配置させる。
【００９１】
次に、フロントカバー部材５１０の第１係合部５１１をフロントフレーム部材３１０の上方（ｚ軸正方向側）に引っ掛ける。
【００９２】
次に、フロントカバー部材５１０の第２係合部５１２をフロントフレーム部材３１０の下方（ｚ軸負方向側）に配置される被係合部３１６に取り付ける。
【００９３】
これにより、フロントカバー部材５１０をフロントフレーム部材３１０に取り付けることができる。また、フロントカバー部材５１０とフロントフレーム部材３１０の間にはフロント模様部材６１０が介在している。
【００９４】
本発明は、その趣旨を逸脱しない範囲で種々の改良、修正、又は変形を加えた態様でも実施できる。
【符号の説明】
【００９５】
１００…眼鏡
２００…レンズ
２１０…右レンズ
２２０…左レンズ
３００…眼鏡フレーム
３１０…フロントフレーム部材
３１６…被係合部
３２０…右テンプル部材
３２１…右モダン部（モダン部）
３３０…左テンプル部材
３３１…左モダン部（モダン部）
３３２…溝部
３４０…右ノーズバッド部
３５０…左ノーズバッド部
４００…蝶番
５００…カバー部材
５１０…フロントカバー部材
５２０…右テンプルカバー部材（テンプルカバー部材）
５３０…左テンプルカバー部材（テンプルカバー部材）
６００…模様部材
６１０…フロント模様部材
６２０…テンプル模様部材
【図１】
2018169633.tif 000003
【図２】
2018169633.tif 000004
【図３】
2018169633.tif 000005
【図４】
2018169633.tif 000006
【図５】
2018169633.tif 000007
【図６】
2018169633.tif 000008
【図７】
2018169633.tif 000009